(57)【要約】【課題】  本発明は撮影者が被写体を見ながら映像を構成する色相を編集して色バランスの取れた映像を撮影することができるようにする。【解決手段】  本発明の電子スチルカメラ装置は、撮像素子から入力した映像の分光エネルギー分布を算出し、算出した分光エネルギー分布をファインダに表示し、撮影者の指示した波長の色相を増幅する。【選択図】        図５
2005027331.tif 000002
【特許請求の範囲】
【請求項１】
撮像素子から入力した映像の分光エネルギー分布を算出し、算出した分光エネルギー分布をファインダに表示し、撮影者の指示した波長の色相を増幅することを特徴とする電子スチルカメラ装置。
【請求項２】
撮影者が指示した波長の色相を置き換える請求項１記載の電子スチルカメラ装置。
【請求項３】
撮像素子から入力した映像の中でほぼ一色の色相から成る領域を検出する請求項１記載の電子スチルカメラ装置。
【請求項４】
入力した映像の画像データを色差データと輝度データに分離する画像データ分離ステップと、
分離した前記色差データ及び前記輝度データに基づいて画像の分光エネルギー分布を算出する分光エネルギー分布算出ステップと、
算出した分光エネルギー分布を表示手段に表示させる表示ステップと、
撮影者から特定の波長の色相を強調する指示が有った場合撮影者から指示が有った特定の波長の色相のエネルギー値を指定の増幅値まで変更し、撮影者から特定の波長の色相を他の色相に変換する指示が有った場合撮影者から指示が有った特定の波長の色相を指定の色相に変換する編集ステップと
を有することを特徴とする電子スチルカメラ装置における映像編集方法。
【発明の詳細な説明】
【技術分野】
【０００１】
この発明は電子スチルカメラ装置及び映像編集方法に関し、特に電子スチルカメラ装置における映像の編集及び撮影枚数の増大に関するものである。
【背景技術】
【０００２】
撮像素子からの映像を一端メモリに記憶し、メモリに記憶した映像を繰り返し読み出して同一画面に表示する装置として、例えば特許文献１に掲載された電子カメラ及び画像信号圧縮装置、特許文献２に掲載された電子スチルカメラがある。
【０００３】
特許文献１に掲載された電子カメラ及び画像信号圧縮装置は焦点距離等を基に撮像素子からの映像を自動的に圧縮することにより、映像の平均圧縮率を高め、１映像に対する記憶容量を削減すると共に撮影者の満足のいく撮影ができるようにしている。
【０００４】
また、特許文献２に掲載された電子スチルカメラは撮像素子からの最新の映像とこの映像の一回前に撮像素子から入力した映像とを比較し、両映像において変化のない部分のみを静止画像として記憶することにより、被写体を遮る動画が全てなくなるのを待つことなく、最小の待ち時間で静止画像を得られるようにしている。
【特許文献１】特開平４−３３２２８１号公報
【特許文献２】特開平３−５２４５７号公報
【発明の開示】
【発明が解決しようとする課題】
【０００５】
しかしながら、電子スチルカメラに限らず一般の自動焦点カメラにおいて、撮影者が目的の被写体に焦点を合わせたつもりでいても、実際には別のものに焦点が合ってしまい、意図している被写体に焦点があっていない場合がある。
【０００６】
この発明はかかる短所を解消するためになされたものであり、映像の容易な編集及び多数の映像の記憶を図ることを目的とする。
【課題を解決するための手段】
【０００７】
この発明に係る電子スチルカメラ装置は、撮像素子から入力した映像の分光エネルギー布を算出し、算出した分光エネルギー分布をファインダに表示し、撮影者の指示した波長の色相を増幅するので、撮影者が被写体を見ながら映像を構成する色相を編集して色バランスの取れた映像を撮影することができる。
【０００８】
さらに、撮影者の指示した波長の色相を置き換えて、撮影者が被写体を見ながら色相の変換をでき、さらに色バランスの取れた映像を撮影できる。
【０００９】
また、撮像素子から入力した映像の中でほぼ一色の色相から成る領域を検出するので、同色相から成る領域を一括して取り扱うことができる。
【００１０】
さらに、別の発明としての電子スチルカメラ装置における映像編集方法は、入力した映像の画像データを色差データと輝度データに分離する画像データ分離ステップと、分離した色差データ及び輝度データに基づいて画像の分光エネルギー分布を算出する分光エネルギー分布算出ステップと、算出した分光エネルギー分布を表示手段に表示させる表示ステップと、撮影者から特定の波長の色相を強調する指示が有った場合撮影者から指示が有った特定の波長の色相のエネルギー値を指定の増幅値まで変更し、撮影者から特定の波長の色相を他の色相に変換する指示が有った場合撮影者から指示が有った特定の波長の色相を指定の色相に変換する編集ステップとを有している。よって、撮影者はファインダなどの表示手段で確認しながら映像を構成する色相を編集することにより容易に色バランスの取れた映像に編集することができる。
【発明の効果】
【００１１】
本発明の電子スチルカメラ装置によれば、撮像素子から入力した映像の分光エネルギー分布をファインダに表示し、撮影者の指示した波長の色相を増幅するので、撮影者が被写体を見ながら映像を構成する色相を編集して色バランスの取れた映像を撮影することができる。
【発明を実施するための最良の形態】
【００１２】
図１はこの発明の一実施例の電子スチルカメラ装置の構成図である。図に示すように、電子スチルカメラはカメラ本体部１と液晶モニタ２とＰＣカード３を有する。
【００１３】
カメラ本体部１はレンズユニット４、光学ローパスフィルタ５、ＣＣＤ６、ＡＤ変換器７、イメージプレプロセッサ（以下「ＩＰＰ」という。）８、離散的コサイン変換器（以下「ＤＣＴ」という。）９、コーダー１０、メモリカードコントローラ（以下「ＭＣＣ」という。）１１、ＣＰＵ１２、アダプティブディファレンシャルパルスコードモデュレーション（以下「ＡＤＰＣＭ」という。）１３、マイク１４、操作部１５、ファインダ１６及び電源部１７を備える。レンズユニット４はＣＰＵ１２からの焦点調整信号を基に焦点を調整して光学ローパスフィルタ５を介してＣＣＤ６上に映像を結ぶ。ＣＣＤ６は光学ローパスフィルタ５を介してレンズユニット４から送られた映像をアナログ電気信号に変換する。ＡＤ変換器７はＣＣＤ６で変換したアナログ電気信号をデジタル信号に変換する。
【００１４】
ＩＰＰ８はＡＤ変換器７で変換したデジタル画像データを色差データと輝度データとに分けて処理すると共に画像圧縮伸長のための処理を行う。また、ＩＰＰ８は、図２に示すように焦点中央データ抽出手段８１と画像データ分離手段８２と色算出手段８３と色表示手段８４を有する。焦点中央データ抽出手段８１は、図３のファインダ１６の構成図で示すＡＤ変換器７から入力した画像データ１６２の中から実際に焦点が合っている領域の中央近傍である焦点中央部１６３の画像データを抽出する。画像データ分離手段８２は焦点中央データ抽出手段８１が抽出した画像データを色差データと輝度データに分離する。色算出手段８３は色相角算出手段８３１とＬ指数算出手段８３２と構成色算出手段８３３を有する。色相角算出手段８３１は画像データ分離手段８２が分離した色差データの座標を、例えば明度指数Ｌと色度指数ａ，ｂを有するＬａｂ表示系の座標に変換してＬａｂ表色系の色度指数ａ，ｂを求め、求めた色度指数ａ，ｂから色相角αを求める。Ｌ指数算出手段８３２は画像データ分離手段が分離した輝度データから明度指数Ｌを求める。構成色算出手段８３３は色相角算出手段８３１が算出した色相角α及びＬ指数算出手段８３２が算出した明度指数Ｌから実際に焦点が合っている領域の中央近傍である焦点中央部の画像の色相を算出する。色表示手段８４は色算出手段８３が算出した色相をファインダ１６上のＬＥＤ１６１を点灯して表示する。
【００１５】
ＤＣＴ９はＪＰＥＧ準拠の画像圧縮伸長処理の１過程である直交変換を行う。コーダー１０はＪＰＥＧ準拠の画像圧縮伸長処理の１過程を行う部分で、ハフマン符号化による高効率の画像圧縮伸長処理を行う。ＭＣＣ１１は圧縮処理した画像とマイク１４から取り込みデジタル化した音声データを一旦蓄え同時処理し、ＰＣカード３へ記録及びＰＣカード３からの読み出しを行う。ＣＰＵ１２はカメラ本体部１全体の制御を行う部分であり、例えばＩＰＰ８からの画像データを基にレンズユニット４の焦点を調整する焦点調整信号を出力する。ＡＤＣＭ１３はマイク１５から入力した音声をデジタル変換し圧縮しＭＣＣを介してＰＣカード３に記憶したり、ＭＣＣ１１からの音声を伸長する。
【００１６】
液晶モニタ２はＬＣＤ２１とスピーカ２２と電源部２３を備え、カメラ本体部１からの画像及び音声を出力する。
【００１７】
上記構成の電子スチルカメラ装置で焦点中央部分の構成色をファインダ１６に表示する場合の動作について、図４のフローチャートを参照して説明する。
【００１８】
カメラ本体部１のＣＣＤ６が映像を入力し、入力した映像をアナログ画像信号に変換すると（ステップＳ１）、ＡＤ変換器７はＣＣＤ６が入力したアナログ画像信号をデジタル画像データに変換する（ステップＳ２）。ＩＰＰ８の焦点中央データ抽出手段８１はＡＤ変換器７が変換したデジタル画像データから実際に焦点が合っている領域の中央近傍である焦点中央部１６３の画像データを抽出する（ステップＳ３）。画像データ分離手段８２は焦点中央データ抽出手段８１が抽出した画像データを色差データと輝度データに分離する（ステップＳ４）。色相角算出手段８３１は画像データ分離手段８２が分離した色差データの座標を、例えば明度指数Ｌと色度指数ａ，ｂを有するＬａｂ表示系に座標変換してＬａｂ表色系の色度指数ａ，ｂを求め（ステップＳ５）、求めた色度指数ａ，ｂを基に色相角αをα＝tan（ｂ／ａ）で算出する（ステップＳ６）。Ｌ指数算出手段８３２は画像データ分離手段が分離した輝度データから明度指数Ｌを求める（ステップＳ７）。構成色算出手段８３３は色相角算出手段８３１が算出した色相角αを赤（Ｒ），緑（Ｇ），青（Ｂ），シアン（Ｃ），マゼンタ（Ｍ）及び黄（Ｙ）の６色に分割し、その中で特に明度指数Ｌの値が大きいものを白（Ｗ）、明度指数Ｌの値が小さいものを黒（Ｋ）として画像の構成色を８分割して、焦点中央部の色相を算出する（ステップＳ８）。色表示手段８４は色算出手段８３が算出した色相をファインダ１６上のＬＥＤ１６１を点灯して表示する（ステップＳ９）。このように、実際に焦点が合っている領域の中央近傍である焦点中央部１６３の画像を構成する色相をファインダ１６上のＬＥＤ１６１で表示するので、撮影者はファインダ１６上に表示された色相と意図している被写体の色相とを比較して、意図している被写体に焦点が合っているか否かを確認できる。
【００１９】
その後、ＤＣＴ９及びコーダー１０は画像データを圧縮処理等する（ステップＳ１０）。撮影者が意図している被写体に焦点が合っていることを確認して圧縮画像データの記憶を希望すると（ステップＳ１１）、ＭＣＣ１１はＤＣＴ９及びコーダー１０が圧縮処理等した画像データをＰＣカード３に記憶する（ステップＳ１２）。このように、撮影者が意図している被写体に焦点が合っているか否かを確認することにより、常に鮮明な映像を記憶することができる。
【００２０】
また、逆光状態である場合及びコントラストが不足している状態であるときに、撮影者が被写体を見ながら、編集できる方が好ましい。そこで、図５に示すように、ＩＰＰ８ａが画像データ分離手段８２と色分布算出手段８５と色分布表示手段８６と編集手段８７を備えるようにしても良い。画像データ分離手段８２はＡＤ変換器７から入力した画像データを色差データと輝度データに分離する。色分布算出手段８５は画像データ分離手段８１が分離した色差データと輝度データを基に画像の分光エネルギー分布を算出する。色分布表示手段８６は色分布算出手段８５が算出した分光エネルギー分布をファインダ１６に表示する。編集手段８７は操作部１５から撮影者が指示指示した波長の色相を増幅したり、他の色相に置き換えたりする。
【００２１】
上記構成の電子スチルカメラ装置で画像編集する場合の動作について、図６のフローチャートを参照して説明する。
【００２２】
カメラ本体部１のＣＣＤ６が映像を入力し入力した映像をアナログ画像信号に変換すると（ステップＳ２１）、ＡＤ変換器７はＣＣＤ６が入力したアナログ画像信号をデジタル画像データに変換する（ステップＳ２２）。ＩＰＰ８の画像データ分離手段８２はＡＤ変換器７から入力した画像データを色差データと輝度データに分離する（ステップＳ２３）。色分布算出手段８５は画像データ分離手段８２が分離した色差データと輝度データを基に画像の分光エネルギー分布を算出する（ステップＳ２４）。色分布表示手段８６は、図７に示すように色分布算出手段８５が算出した分光エネルギー分布１６４をファインダ１６に表示する（ステップＳ２５）。撮像者は増幅または他の色相に変換したい色相が有れば、操作部１５から画像の編集を指示する（ステップＳ２６）。撮像者から特定の波長の色相を強調する指示が有った場合は、編集手段８７は撮像者から指示が有った波長の色相のエネルギー値を撮像者から指定された増幅値まで変更する（ステップＳ２７，Ｓ２９）。また、撮像者から特定の色相を他の色相に変換する指示が有った場合は、編集手段８７は指示に従って、例えば青の色相を赤の色相に置き換えたり、赤の色相と青の色相とを入れ替えたりして色相を変換する（ステップＳ２７，Ｓ２８）。このようにして、撮像者の希望する色相に編集した後、ＤＣＴ９及びコーダー１０は画像データを圧縮処理等し（ステップＳ３０）、ＭＣＣ１１はＤＣＴ９及びコーダー１０が圧縮処理等した画像データをＰＣカード３に記憶する（ステップＳ３１）。このように、ファインダ１６で確認しながら映像を構成する色相を編集することにより容易に色バランスの取れた映像に編集することができる。
【００２３】
また、画像一枚当たりの所要記憶容量を少なくすると、多くの映像を格納することでき望ましい。そこで、ＩＰＰ８ｂは、図８に示すように画像データ分割手段８８と画像データ分離手段８２と特定色領域検出手段８９と特定領域表示手段９０と黒色領域編集手段９１を有するようにしても良い。画像データ分割手段８８はＡＤ変換器７から入力した画像データを複数の領域に分割する。画像データ分離手段８２は画像データ分割手段８８が分割した各領域の画像データを色差データと輝度データに分離する。特定色領域検出手段８９は色相各算出手段８３１とＬ係数算出手段８３２と色変化検出手段８３４を備える。色相角算出手段８３１は、例えば既に説明したように色差データをＬａｂ表色系の座標に変換し色相角αを算出する。Ｌ係数算出手段８３２は画像データ分離手段８２が分離した輝度データから明度指数Ｌを求める。色変化検出手段８３４は色相角α及び明度指数Ｌを基に画像の構成色を赤（Ｒ），緑（Ｇ），青（Ｂ），シアン（Ｃ），マゼンタ（Ｍ），黄（Ｙ），白（Ｗ）及び黒（Ｋ）の８色相に分割する。また、色変化検出手段８３４は色相各算出手段８３１が変換したＬａｂ表色系座標でのレベル値の変化がほとんどない領域を検出することによって、ＣＣＤ６から入力した映像の中で構成する色相がほぼ一色相から成る領域を検出する。特定領域表示手段９０は特定色領域検出手段８９がほぼ一色相から成る領域を検出すると、その検出した領域を、図９に示すようにファインダ１６に表示する。黒色領域編集手段９１は、色変化検出手段８３４が検出したほぼ一色相から成る領域における明度指数Ｌが予め設定した値より低くなっていることを検出すると、操作部１５から入力した指示に応じてほぼ黒色一色の色相から成る領域１６５の黒色以外の色相成分を除去する。
【００２４】
上記構成の電子スチルカメラ装置でほぼ黒色の一色の色相から成る領域の黒色以外の色相成分を除去する場合の動作を、図１０にフローチャートを参照して説明する。
【００２５】
カメラ本体部１のＣＣＤ６が映像を入力し入力した映像をアナログ画像信号に変換すると（ステップＳ２１）、ＡＤ変換器７はＣＣＤ６が入力したアナログ画像信号をデジタル画像データに変換する（ステップＳ２２）。ＩＰＰ８の画像データ分離手段８１はＡＤ変換器７から入力した画像データを色差データと輝度データに分離する（ステップＳ２３）。色相角算出手段８３１は画像データ分離手段８２が分離した色差データから、例えばＬａｂ表色系の色度指数ａ，ｂを求め、求めた色度指数ａ，ｂを基に色相角αを算出する（ステップＳ２４）。Ｌ指数算出手段８３２は画像データ分離手段が分離した輝度データから明度指数Ｌを求める。色変化検出手段８３４は色相角α及び明度指数Ｌを基に画像を構成する色相を赤（Ｒ），緑（Ｇ），青（Ｂ），シアン（Ｃ），マゼンタ（Ｍ），黄（Ｙ），白（Ｗ）及び黒（Ｋ）の８色相に分割する。その後、色変化検出手段８３４は色相各算出手段８３１が変換したＬａｂ表色系の色相のレベル値の変化がほとんどない領域を検出することによって、撮像素子から入力した画像中で構成する色相がほぼ一色の色相から成る領域を検出する（ステップＳ４５）。また、色変化検出手段８３４は検出したほぼ一色の色相から成る領域が８色相に分割した色相のいずれに相当するかを調べ、ほぼ一色の色相から成る領域が黒色の色相から成る領域か否かを調べる。
【００２６】
特定領域検出手段９０はほぼ一色相から成る領域を既に説明したようにファインダ１６に表示する（ステップＳ４６）。ほぼ一色の色相から成る領域が黒色の色相からなる領域であって、かつ、その領域の他の色相成分のデータを消去する指示を操作部１５から入力すると、黒色領域編集手段９１はその領域の黒色以外の色相の成分のデータを消去する（ステップＳ４９）。この後、ＤＣＴ９及びコーダー１０は画像データを圧縮処理等し（ステップＳ５０）、ＭＣＣ１１はＤＣＴ９及びコーダー１０が圧縮処理等した画像データをＰＣカード３に記憶する（ステップＳ５１）。例えば夜空のように真っ黒であっても良い外形画像に必要でない情報が含まれている場合に、このようにほぼ黒色一色の色相から成る領域の黒色以外の色相成分を消去することにより、１画像当たりのデータ量を少なくして多くの画像を記憶できようにする。
【００２７】
なお、上記実施例ではほぼ黒色一色の色相から成る領域について説明したが、白色一色の色相から成る領域についても同様の処理を行っても良い。
【００２８】
また、Ｌａｂ表示系の座標を用いて色相を分割したが、例えばｕｖ表示系等の座標を用いても良い。
【００２９】
なお、本発明は上記実施の形態例に限定されるものではなく、特許請求の範囲内の記載であれば多種の変形や置換可能であることは言うまでもない。
【図面の簡単な説明】
【００３０】
【図１】この発明の実施例を示す構成図である。
【図２】ＩＰＰの構成図である。
【図３】ファインダ視野の構成図である。
【図４】電子スチルカメラ装置の動作を示すフローチャートである。
【図５】色分布を表示するＩＰＰの構成図である。
【図６】色分布を表示する動作を示すフローチャートである。
【図７】色分布を表辞したファインダの視野の構成図である。
【図８】同一構成色から成る領域を検出するＩＰＰの構成図である。
【図９】同一構成色から成る領域を表示するファインダの視野の構成図である。
【図１０】同一構成色から成る領域を表示する動作を示すフローチャートである。
【符号の説明】
【００３１】
１          カメラ本体部
２          液晶モニタ
３          ＰＣカード
４          レンズユニット
６          ＣＣＤ
７          ＡＤ変換器
８          ＩＰＰ
８１        焦点中央データ抽出手段
８２        画像データ分離手段
８３        色算出手段
８４        色表示手段
８５        色分布算出手段
８６        色分布表示手段
８７        編集手段
８８        画像データ分割手段
８９        特定色領域検出手段
９０        特定色領域表示手段
９１        黒色領域編集手段
１５        操作部
１６        ファインダ
【図１】
2005027331.tif 000003
【図２】
2005027331.tif 000004
【図３】
2005027331.tif 000005
【図４】
2005027331.tif 000006
【図５】
2005027331.tif 000007
【図６】
2005027331.tif 000008
【図７】
2005027331.tif 000009
【図８】
2005027331.tif 000010
【図９】
2005027331.tif 000011
【図１０】
2005027331.tif 000012